(57)【要約】      （修正有）【課題】使用時に市販のノズル付きライターに簡単に取付けられ、風の吹いている屋外でも確実に着火することができると共に、分解できるので持ち運びが容易なノズル付きライター用防風カバーを提供する。【解決手段】上部が開口した円筒状のカバー本体２の底面を開口し、この底面開口部３の内側に、ここからカバー本体２内に挿着したノズル付きライター８の、金属製ノズル７の周面を吸着する磁石４を取付け、この磁石４の両側に、金属製ノズル７が吸着する磁石４の正面より突出させて磁性金属板５、５を取付けた。【選択図】図１
0003115848.tif 000002
【実用新案登録請求の範囲】
【請求項１】
上部が開口した円筒状のカバー本体の底面を開口し、この底面開口部の内側に、ここからカバー本体内に挿着したノズル付きライターの、金属製ノズルの周面を吸着する磁石を取付けたことを特徴とするノズル付きライター用防風カバー。
【請求項２】
磁石の両側に、金属製ノズルの周面が吸着する磁石の正面より突出させて磁性金属板を取付けたことを特徴とする請求項１記載のノズル付きライター用防風カバー。
【考案の詳細な説明】
【技術分野】
【０００１】
本考案は、ノズル付きライター用防風カバーに関するものである。
【背景技術】
【０００２】
一般に、墓参した時に墓前に線香を供えるが、通常は線香を束ねた状態でライターやマッチで点火したり、紙を燃やしてその炎で点火している。しかしながら、線香を束ねたまま点火するのは難しく、特に風の強い日には炎が消え易く、着火しにくい問題があった。このため従来は、線香の先端に着火剤を取り付けたものも提案されているが、これは先端の着火剤だけが先に燃焼して、線香に確実に点火されない問題があった。またプラスチックで形成したラッパ状の防風カバーを取付けたライターも市販されているが、これは大きくかさばるため持ち運びが不便であった。
【考案の開示】
【考案が解決しようとする課題】
【０００３】
本考案は上記問題を改善し、使用時に市販のノズル付きライターに簡単に取付けられ、風の吹いている屋外でも確実に着火することができると共に、分解できるので持ち運びが容易なノズル付きライター用防風カバーを提供するものである。
【課題を解決するための手段】
【０００４】
本考案の請求項１記載のノズル付きライター用防風カバーは、上部が開口した円筒状のカバー本体の底面を開口し、この底面開口部の内側に、ここからカバー本体内に挿着したノズル付きライターの、金属製ノズルの周面を吸着する磁石を取付けたことを特徴とするものである。
【０００５】
本考案の請求項２記載のノズル付きライター用防風カバーは、磁石の両側に、金属製ノズルの周面が吸着する磁石の正面より突出させて磁性金属板を取付けたことを特徴とするものである。
【考案の効果】
【０００６】
本考案に係る請求項１記載のノズル付きライター用防風カバーによれば、ライターの金属製ノズルを、カバー本体の底面開口部から挿入して、その周面を磁石に吸着させてノズル付きライター用防風カバーと一体に連結して、ライターの着火弁を親指で強く押すと、ノズルの先端から炎が出る。炎はカバー本体で囲まれているので風の吹いている屋外でも風の影響を受けることなく安定して燃焼させることができ、この炎に線香の先端を接触させて着火させることができる。金属製ノズルの長さが異なっている市販のどのライターでも磁石により吸着させることができ、また使用後は、簡単に分離してポケットに入れることができ持ち運びも便利である。
【０００７】
また請求項２記載のノズル付きライター用防風カバーによれば、磁石の両側に、金属製ノズルが吸着する磁石の正面より突出させて磁性金属板を取付けたので、円筒状の金属製ノズルは、磁化された両側の磁性金属板の間で吸着支持されてカバーを確実に保持することができる。
【考案を実施するための最良の形態】
【０００８】
以下本考案の実施の一形態を図１ないし図３を参照して詳細に説明する。図２および図３はノズル付きライター用防風カバー１を示すもので、２はプラスチックや木で形成されたカバー本体２で、これは上部を開口してラッパ状に拡大した円筒状に形成され、その底面も偏心して開口され、この底面開口部３の内側に磁石４が取付けられている。この磁石４の両側には図３に示すように、磁石４の正面より突出させて鉄板などの磁性金属板５、５が取付けられている。
【０００９】
上記構成のノズル付きライター用防風カバー１は、図１に示すように市販の長い金属製ノズル７を取付けたライター８を手９に持って、カバー本体２の底面開口部３から金属製ノズル７の先端を挿入して、その周面を磁石４に吸着させて連結する。
【００１０】
この時、磁石４の両側には図３に示すように、磁石４の正面より突出させて鉄板などの磁性金属板５、５が取付けられているので、円筒状の金属製ノズル７の周面は、、磁化された両側の磁性金属板５、５の間で吸着支持されて確実に保持することができる。
【００１１】
この状態で、ライター８の着火弁１２を親指１１で強く押すと、圧電素子により着火して金属製ノズル７の先端から炎１３が出る。カバー本体２で囲まれた状態で炎１３は風の影響を受けることなく安定して燃焼することができ、この炎１３に線香１４の先端を上部開口部６から挿入して着火する。
【００１２】
使用後は、ノズル付きライター用防風カバー１を手９に持って、ライター８を下方に引き抜くことにより、磁石４で吸着していた金属製ノズル７が離れて容易に分離することができる。またノズル付きライター８は、製品によって金属製ノズル７の長さが異なるが、本考案では磁石４に金属製ノズル７の任意の位置を吸着させることができるので、金属製ノズル７の先端位置がカバー本体２の上部開口部６から突出しないように調整して取付けることができる。
【００１３】
図４は本考案の他の実施の形態を示すもので、カバー本体２が円筒状に形成されたものである。またカバー本体２の形状は、これに限らず上部開口部６と底面開口部３が形成されていれば他の形状でも良い。
【産業上の利用可能性】
【００１４】
なお上記説明では線香１４に着火する場合について示したが、小さな花火に着火する場合にも使用することができる。
【図面の簡単な説明】
【００１５】
【図１】本考案の実施の一形態によるノズル付きライター用防風カバーにライターを連結して線香に着火している状態を示す断面図である。
【図２】図１のノズル付きライター用防風カバーを示す断面図である。
【図３】図２のノズル付きライター用防風カバーを示す平面図である。
【図４】本考案の他の実施の形態によるノズル付きライター用防風カバーの断面図である。
【符号の説明】
【００１６】
１    ノズル付きライター用防風カバー                        
２    カバー本体                                            
３    底面開口部                                            
４    磁石                                                  
５    磁性金属板                                            
６    上部開口部                                            
７    金属製ノズル                                          
８    ライター                                              
９    手                                                    
１１  親指                                                  
１２  着火弁                                                
１３  炎                                                    
１４  線香                                                  
【図１】
0003115848.tif 000003
【図２】
0003115848.tif 000004
【図３】
0003115848.tif 000005
【図４】
0003115848.tif 000006